(57)【要約】【課題】打力調節時に手置き台を必要とする遊技者とそうでない遊技者のどちらにも対応し得る打力調節装置を備えた弾球遊技機を提供する。【解決手段】弾球遊技機は、遊技機設置島に取付けられる固定部材２と、遊技領域を有する前面部材３と、遊技領域に遊技球を打込む電動打球装置と、これを調節する打力調節装置１３０とを備えている。そして、電動打球装置１２は、遊技球を遊技領域に打ち出す打球部材と、打球部材を動作させる動力部材とを有し、打力調節装置１３０は、前面部材３に設けられた基台部１３１と、基台部１３１の前面に回動可能に設けられたハンドル体１３２と、ハンドル体１３２の前側に配設された前カバー部材１３３とを備えている。そしてさらに前カバー部材１３３は、基台部１３１に下部を軸着して起立姿勢から仰向け姿勢に変換可能とし、その仰向け姿勢で操作する手を受け支え得るようにした。【選択図】        図１
2014124190.tif 000002
【特許請求の範囲】
【請求項１】
室内の遊技機設置部に固定的に取り付けられる固定部材と、
該固定部材の前面に開閉可能に取り付けられると共に遊技者が遊技を行うための遊技領域を有する前面部材と、
前記遊技領域に遊技球を打ち込む電動打球装置と、
該電動打球装置の打力を調節する打力調節装置と、を備えた弾球遊技機において、
前記電動打球装置は、
発射位置にある遊技球を前記遊技領域に向けて打ち出す打球部材と、
該打球部材に打球動作を行わせる動力部材と、を有し、
前記打力調節装置は、
前記前面部材に設けられた基台部と、
該基台部の前面に、ほぼ水平で且つ前記前面部材の前後方向に向かう軸線を回転中心として回動可能に設けられたハンドル体と、
該ハンドル体の前側に配設されて主としてハンドル体を操作する手の手の平の中に位置する前カバー部材と、を備えており、
前記前カバー部材は、下部を前記基台部又は前記前面部材に回動可能に軸着して前記ハンドル体の前側に位置する起立姿勢と、ほぼ水平な仰向け姿勢とに変換可能であり、
前記前カバー部材が仰向け姿勢にあるとき、前記ハンドル体を操作する手を受けて下支えし得るものであることを特徴とする弾球遊技機。
【請求項２】
前記前カバー部材が前記仰向き姿勢にあるとき前記ハンドル体の回転を止め得るロック手段を該前カバー部材に設けたことを特徴とする請求項１記載の弾球遊技装置。
【発明の詳細な説明】
【技術分野】
【０００１】
本発明は、遊技領域に遊技球を打ち込んで遊技を行う弾球遊技機に関する。
【背景技術】
【０００２】
弾球遊技機の一例をパチンコ機について説明する。
周知のようにパチンコ機は、遊技場等の室内の遊技機設置部（「遊技機設置島」ともいう。）に固定的に取り付けられる固定部材（「外枠」ともいう。）と、該外枠の前面に片開きの扉のごとく開閉可能に取り付けられる前面部材（「前枠」ともいう。）とを備えており、遊技者が前枠側に装着された遊技板の遊技領域に向けて遊技球（一般に「パチンコ球」という。）を発射させ、その遊技球が遊技領域の入賞口に入った場合、所定数の遊技球を景品として機前の球皿に放出し、一方、遊技球が入賞しなかった場合、その遊技球をアウト球として機裏に回収するものである。
【０００３】
パチンコ機には、遊技板の遊技領域に向けて遊技球を打ち込む電動打球装置と、該電動打球装置の打力の強弱を調節する打力調節装置と、が設けられている。前記電動打球装置は、発射レールに供給された遊技球を一個ずつ打ち出す揺動自在なハンマー状の打球部材と、該打球部材に打球動作を行わせる動力部材（例えば、ロータリーソレノイドや、電動モータと回転カムと牽引バネの周知の組み合わせ等）で構成されており、一方、打力調節装置は、前記電動打球装置の動力部材を調節（例えば、前記ロータリーソレノイドの電気抵抗値の増減、或は牽引バネの張力の増減）することで打球部材の打力を調節する。
【０００４】
前記打力調節装置は、例えば特許文献１に記載されているように、前面部材（特許文献１図７，図８において「固定板６７」に相当）に固着された基台部（同「固定部材６２」）と、該基台部の前面に、ほぼ水平で且つ前記前面部材の前後方向に向かう軸線を回転中心として回動可能に設けられたハンドル体（同「可動部材６３」）と、該ハンドル体の前側に配設されて主としてハンドル体を操作する手の手の平の中に位置する前カバー部材（同「キャップ６４」）と、を備えており（以下、このような打球調節装置を「従来型操作ハンドル」ともいう。）、前記基台部の内部に設けた可変抵抗器（同「抵抗器７１」）の電気抵抗値を前記ハンドル体によって適宜変更し、そうして電動打球装置に印加する電圧値を変更して打力の強弱を調節する。
【０００５】
【特許文献１】特開平８−１１２４０３号公報
【発明の概要】
【発明が解決しようとする課題】
【０００６】
長時間に亘って打力調節装置を操作し続けると、腕や手が疲労する。そのため特許文献１の打力調節装置には、同文献１の図７，図８に示されているように、腕や手の疲労軽減策として前カバー部材に手置き台が突設されている。
このように前カバー部材に手置き台を突設した構成には、打力調節装置の周辺に別途手置き台を設ける場合に比べて周囲への設計上の影響を小さくすることができ、その分、遊技機前面の設計の自由度を高め得る利点がある。
しかし一方、手置き台を必要としない或は好まない遊技者にとって前カバー部材に設けられた手置き台は、不要且つ邪魔な存在でしかない。
【０００７】
本発明は、上記に鑑みなされたもので、その目的は、打力調節時に手置き台を必要とする遊技者とそうでない遊技者のどちらにも対応し得る打力調節装置を備えた弾球遊技機を提供することにある。
【課題を解決するための手段】
【０００８】
上記の目的を達成するため本発明は、
室内の遊技機設置部に固定的に取り付けられる固定部材と、
該固定部材の前面に開閉可能に取り付けられると共に遊技者が遊技を行うための遊技領域を有する前面部材と、
前記遊技領域に遊技球を打ち込む電動打球装置と、
該電動打球装置の打力を調節する打力調節装置と、を備えた弾球遊技機において、
前記電動打球装置は、
発射位置にある遊技球を前記遊技領域に向けて打ち出す打球部材と、
該打球部材に打球動作を行わせる動力部材と、を有し、
前記打力調節装置は、
前記前面部材に設けられた基台部と、
該基台部の前面に、ほぼ水平で且つ前記前面部材の前後方向に向かう軸線を回転中心として回動可能に設けられたハンドル体と、
該ハンドル体の前側に配設されて主としてハンドル体を操作する手の手の平の中に位置する前カバー部材と、を備えており、
前記前カバー部材は、下部を前記基台部又は前記前面部材に回動可能に軸着して前記ハンドル体の前側に位置する起立姿勢と、ほぼ水平な仰向け姿勢とに変換可能であり、
前記前カバー部材が仰向け姿勢にあるとき、前記ハンドル体を操作する手を受けて下支えし得るものである弾球遊技機を提供する。
【０００９】
また、請求項２に記載したように、前記前カバー部材が前記仰向き姿勢にあるとき前記ハンドル体の回転を止め得るロック手段を該前カバー部材に設けた請求項１に記載の弾球遊技機を提供する。
【発明の効果】
【００１０】
本発明の弾性遊技機は、打力調節装置の前カバー部材を起立姿勢にして使用することにより、手置き台のない従来型操作ハンドルを備えているかのような感覚で遊技することができ、一方、前カバー部材を仰向き姿勢にして使用することにより手置き台を有する弾球遊技機と同様に疲れにくい姿勢で遊技することができる。したがって、打力調節時に手置き台を必要とする遊技者とそうでない遊技者のどちらにも柔軟に対応することができる。
【００１１】
また、請求項２に記載のように、前カバー部材が仰向き姿勢にあるときハンドル体の回転を止め得るロック手段を該前カバー部材に設けるようにすれば、前カバー部材で手が支えられる効果に加えて、ハンドル体を固定する力も殆ど必要ないため、長時間の遊技にも疲れにくい、という優れた効果がある。
【図面の簡単な説明】
【００１２】
【図１】前カバー部材を起立姿勢にした状態を示す打力調節装置の縦断面図である。
【図２】前カバー部材を仰向け姿勢にした状態を示す打力調節装置の縦断面図である。
【図３】弾球遊技機の正面図である。
【図４】弾球遊技機の要部拡大正面図である。
【図５】実施形態２を示す打力調節装置の縦断面図である。
【図６】図５の状態から前カバー部材を仰向け姿勢に変更した状態を示す打力調節装置の縦断面図である。
【図７】図６の状態からハンドル体を固定した状態を示す打力調節装置の縦断面図である。
【図８】（ａ）は第１アームと第２アームの斜視図、（ｂ）は（ａ）の分解斜視図である。
【発明を実施するための形態】
【００１３】
［実施形態１］
以下に本発明の実施形態１を弾球遊技機の一例たるパチンコ機について図１〜図４を参照しつつ説明する。
【００１４】
［パチンコ機］
パチンコ機１は、図３，図４に示したように、四角く枠組みされた外枠２と、該外枠２の前面に開閉（回動）可能に取り付けられた前枠３と、を有する。ここで、外枠２は、遊技場等の室内の遊技機設置部たる遊技機設置島（図示せず）に固定的に取り付けられる固定部材に相当し、また、前枠３は、固定部材の前面に開閉可能に取り付けられる前面部材に相当する。
【００１５】
前枠３の正面には、ガラスや合成樹脂の透明板を装着した窓部４と、その窓部４の下側に設けた球皿５と、を有する前面装飾部材６が取り付けられている。
また、前枠３には、前記窓部４の後方で該窓部４と対向する位置に遊技板８が着脱可能な状態に取り付けられている。そして、その遊技板８には、ガイドレール９でほぼ円形に囲われた遊技領域１０が形成されており、その遊技領域１０が前枠３の前記窓部４を透して遊技者から見えるようになっている。
さらにまた、前枠３の裏側には、遊技板８の下側であって該遊技板８の前面と面一の垂直面を構成するように発射基板（図示せず）が設けられており、該発射基板の前面に発射レール１１が固着されている。
【００１６】
また、パチンコ機１には、遊技板８の遊技領域１０に向けて遊技球を打ち込む電動打球装置１２と、該電動打球装置１２の打力の強弱を調節する打力調節装置１３０が設けられている。なお、電動打球装置１２と打力調節装置１３０で前記球皿５にある遊技球が遊技領域１０に打ち込まれ、そしてそれが遊技領域１０に設けられている入賞口１４に入ると、その景品として遊技球が球皿５に所定個数放出され、一方、入賞口１４に入賞しなかった遊技球がアウト球として機裏に排出（回収）される。
【００１７】
［電動打球装置］
電動打球装置１２は、球皿５から発射レール１１の発射位置１１ｓに遊技球を供給する球供給装置（図示せず）と、発射位置１１ｓにある遊技球を打ち出す打球部材１５と、該打球部材１５に打球動作を行わせる動力部材１６と、により概略構成される。
【００１８】
前記打球部材１５は、前枠３の裏面下方に取り付けられたベース基板（図示せず）に揺動軸１７で揺動自在に軸着され、その上端に発射レール１１の発射位置１１ｓに臨む弾性的なハンマー頭部１５ｈを有する。
一方、前記動力部材１６は、打球部材１５の揺動軸１７に直結したロータリーソレノイド１６ａで形成されている。
【００１９】
以上の構成である電動打球装置１２は、ロータリーソレノイド１６ａに電圧が印加されていない状態で打球部材１５が図４破線のように傾倒位置にあり、この状態でロータリーソレノイド１６ａに電圧を印加すると図４二点鎖線のように瞬時に起立回動し、この動きで発射レール１１の発射位置１１ｓにある遊技球にハンマー頭部１５ｈが当たり、その衝撃で遊技球がガイドレール９に向けて打ち出される。
【００２０】
［打力調節装置］
打力調節装置１３０は、前枠３の下部前面に固着された基台部１３１と、該基台部１３１の前面に回動可能に設けられたハンドル体１３２と、該ハンドル体１３２の前側に配設された前カバー部材１３３と、ハンドル体１３２の回動を受けて電動打球装置１２の打力を変更する調節部材１３４と、から概略構成される。
【００２１】
［打力調節装置−基台部］
前記基台部１３１は、ほぼ横向きのラッパ形状であって、前半部分がラッパ状に広がり、後半部分が太さ一様の軸筒部１３１ａになっていて、その軸筒部１３１ａが前枠３の取付孔３ｈに嵌合固着されている。この基台部１３１には、中心に軸方向に長い筒状の軸受１３１ｂが設けられており、また、ラッパ状の前半部分の下部には、前記前カバー部材１３３のための作動室１３１ｃと、その作動室１３１ｃを横切る梁状の止め部材１３１ｄが設けられている。
【００２２】
［打力調節装置−ハンドル体］
前記ハンドル体１３２は、握りやすいサイズの円盤形で中心後方に回転軸１３５が突設されており、該回転軸１３５が前記基台部１３１の軸受１３１ｂに回転自在に支持されている。したがってハンドル体１３２は、基台部１３１の前面に、ほぼ水平で且つ前枠３の前後方向に向かう軸線を回転中心として回動可能に設けられている。
このハンドル体１３２の前面中央には、円形ドーム形の補助ボタン１３２ａが前後方向に出没自在に設けられており、該補助ボタン１３２ａを押し込むことによって遊技上の補助操作、例えば前記電動打球装置１２を単発的に作動させたり、或は遊技者側から制御装置に遊技に係る指示を入力するための入力手段として利用する、など遊技上、演出上の入力が行える。なお、補助ボタン１３２ａは、ハンドル体１３２に内蔵されたコイル状のスプリング（図示せず）によって突出方向に付勢されており、その付勢に抗して押し込まれるとハンドル体１３２に内蔵されたスイッチ（図示せず）が信号を発するようになっている。
また、ハンドル体１３２の後面には、三角、四角、台形などの爪状突部１３２ｂが前記回転軸１３５の周りにクラウンギヤ状に配設されており、その爪状突部１３２ｂの一部が前カバー部材１３３の前記作動室１３１ｃに臨むようになっている。
【００２３】
［打力調節装置−前カバー部材］
前記前カバー部材１３３は、前面側が球形で後面側が平らな円形ドーム形であり、ハンドル体１３２の前側にあってハンドル体１３２を操作する手のほぼ手の平の中に位置する。また、前カバー部材１３３は、平らな後面の中央に丸い凹面形の窪み部１３３ａが形成されており、該窪み部１３３ａにハンドル体１３２の前記補助ボタン１３２ａが完全に収まるようになっている。また、前カバー部材１３３は、その中央に前記ハンドル体１３２の補助ボタン１３２ａと同形状のカバー側補助ボタン１３３ｂが前後方向に出没可能に形成されている。このカバー側補助ボタン１３３ｂには、ハンドル体１３２の補助ボタン１３２ａに向けて軸状の連接棒１３３ｃが設けられており、該カバー側補助ボタン１３３ｂを押圧すると連接棒１３３ｃを介してハンドル体１３２の補助ボタン１３２ａが押し込まれ、さらに補助ボタン１３２ａが復動するとそれに連動してカバー側補助ボタン１３３ｂも復動するようになっている。したがって遊技者には、前カバー部材１３３がハンドル体１３２の前面にあっても無くても常に補助ボタン１３２ａが正面に存在しているのと同じ状態になる。
【００２４】
しかして、前カバー部材１３３には、その下部にハンドル体１３２の後に臨むアーム部材１３３ｄが延設されており、そのアーム部材１３３ｄが前記基台部１３１の作動室１３１ｃに横設した支持軸１３１ｅによって回動可能に支持されている。また、支持軸１３１ｅには図示しないが周知のねじりコイルばねが装着されていて、そのねじりコイルばねの弾性によって前カバー部材１３３が図１の起立姿勢を保つようになっている。
また、アーム部材１３３ｄには、支持軸１３１ｅよりさらに後方に係止片１３３ｅが延設されており、その係止片１３３ｅが、前カバー部材１３３の前記作動室１３１ｃの止め部材１３１ｄに当たって前カバー部材１３３の回動がほぼ水平な仰向け姿勢で止まるようになっている。
また、前記係止片１３３ｅのさらに後方に前カバー部材１３３が仰向け姿勢に回動した状態でハンドル体１３２後面の前記爪状突部１３２ｂに噛合し得るロック手段たる爪状のストッパ１３３ｆが形成されている。
【００２５】
［打力調節装置−調節部材］
前記調節部材１３４は、前枠３の後面にあって前記ハンドル体１３２の回転軸１３５の後端に直結された可変抵抗器１３４ｒであり、該回転軸１３５の回転量、つまりハンドル体１３２の回転量に応じてロータリーソレノイド１６ａに印加される電圧値を変更し、そうして打球部材１５の打力が変わるように関連付けられている。なお、ハンドル体１３２の回転軸１３５は、可変抵抗器１３４ｒに内蔵された図示しないゼンマイに連結されていて常に初期位置に戻るように付勢されており、したがって、回転軸１３５を介してハンドル体１３２も初期位置に復動するように付勢されている。
【００２６】
以上の構成である打力調節装置１３０は、遊技者がハンドル体１３２に触れていない遊技前の状態で前記した可変抵抗器１３４ｒが内蔵ゼンマイの付勢により初期状態になっており、その状態で打球部材１５は、図４破線の傾倒位置に停止している。
一方、打力調節装置１３０の前カバー部材１３３は、前記のように支持軸１３１ｅに設けたねじりコイルばねの弾性によりハンドル体１３２の前側をカバーする起立姿勢になっている。
【００２７】
この状態から遊技者が遊技を行う場合は、前カバー部材１３３の正面に手の平を当てつつ各指でハンドル体１３２を掴んで時計回りに回転させる。そうすると先ず図示しないタッチセンサーが遊技者を検知する。同時にハンドル体１３２と一体に回転軸１３５が回って可変抵抗器１３４ｒの抵抗値が変化し、その抵抗値に応じた電圧がロータリーソレノイド１６ａに印加される。これにより打球部材１５が図４二点鎖線のように起立回動し、その勢いで発射レール１１の発射位置１１ｓにある遊技球が遊技領域１０に向けて打ち出される。
【００２８】
そして、この状態からハンドル体１３２をさらに時計回りに回転させると打球部材１５の打力が強まり、逆に反時計回りに回転させると打力が弱まるため、ハンドル体１３２の回転方向と回転量を適宜調節して打球部材１５の打力を加減し、そうして遊技領域１０の狙ったポイントに遊技球を打ち込む。その間、遊技球は、電動打球装置１２の定速作動により一定間隔で連続的に打ち出されるが、途中で前カバー部材１３３のカバー側補助ボタン１３３ｂを押し込むと、連接棒１３３ｃを介して補助ボタン１３２ａが押し込まれて電動打球装置１２が一時的に停止する。したがってカバー側補助ボタン１３３ｂによって電動打球装置１２を単発的に制御することができる。
次に、遊技を終了する場合は、ハンドル体１３２から手を離せばよい。そうすると、それを検知したタッチセンサーの信号により電動打球装置１２が停止し、また、可変抵抗器１３４ｒの内蔵ゼンマイの付勢により回転軸１３５を介してハンドル体１３２が初期位置に復動する。
このように実施形態１の打力調節装置１３０は、一般的な従来型操作ハンドルと外観上も操作性も殆ど異ならない。
【００２９】
次に、遊技を続けて狙ったポイントに遊技球が打ち込まれるようになったところでそのままハンドル体１３２を固定したい場合は、先ず図２のように前カバー部材１３３を手前に引いて支持軸１３１ｅ回りに回動させる。そして、前カバー部材１３３が手前に倒れてほぼ水平な仰向け姿勢になると、前カバー部材１３３の後方の係止片１３３ｅが基台部１３１の作動室１３１ｃの止め部材１３１ｄに当たって止まり、同時に係止片１３３ｅのストッパ１３３ｆがハンドル体１３２後面の爪状突部１３２ｂに噛合する。これによりハンドル体１３２がロックされるから、遊技者は仰向け姿勢になっている前カバー部材１３３に手を置き、その手でハンドル体１３２に触れてさえいれば、そのまま狙ったポイントに遊技球を打ち続けることができる。もし、この状態で遊技球の発射を単発的に制御したい場合は、ハンドル体１３２の補助ボタン１３２ａを押せばよい。
【００３０】
次に、遊技を終了する場合は、前カバー部材１３３とハンドル体１３２から手を離す。そうすると、タッチセンサーの信号により電動打球装置１２が停止し、同時に前カバー部材１３３が支持軸１３１ｅに設けたねじりコイルばねの弾性で図１の起立姿勢に復動し、これに伴い前カバー部材１３３のストッパ１３３ｆがハンドル体１３２の爪状突部１３２ｂから外れる。こうして前カバー部材１３３のストッパ１３３ｆによるロックから解放されたハンドル体１３２は、可変抵抗器１３４ｒの内蔵ゼンマイの付勢により回転軸１３５を介して初期位置に復動する。
【００３１】
［実施形態２］
本発明の実施形態２に係る打球調節装置１３０を図５〜図８を参照しつつ説明する。なお、以下に記載する実施形態２の説明は、主として実施形態１と相違する部分に的を絞ったものであり、実施形態１の構成のうち以下に記載のないものは実質的に実施形態２にも当て嵌まる。
【００３２】
実施形態１の打球調節装置１３０は、前カバー部材１３３を仰向け姿勢に変換することでハンドル体１３２が一義的にロックされるようになっているが、実施形態２の打球調節装置１３０は、前カバー部材１３３の仰向け姿勢への変換と、ハンドル体１３２のロックとを段階的な操作で行うようにしたものである。
【００３３】
すなわち実施形態２のアーム部材１３３ｄは、図５、図８に示したように、実施形態１のアーム部材１３３ｄに相当する第１アーム１３３ｇの後端に上向きの第２アーム１３３ｈが連結され、その第２アーム１３３ｈの上端が作動室１３１ｃ内で支持軸１３１ｅによって揺動可能に軸着されている。このアーム部材１３３ｄの第１アーム１３３ｇと第２アーム１３３ｈは、関節軸１３３ｉによって曲げ伸ばし自在に連結されていて、第１アーム１３３ｇの後端に突設した曲げ止め片１３３ｊが第２アーム１３３ｈの後面に当接して逆方向への曲がりが規制されるものである。
また、支持軸１３１ｅと関節軸１３３ｉにはそれぞれねじりコイルばね（図示せず）が装着されていて、該ねじりコイルばねの弾性によって第１アーム１３３ｇが図５〜図８において時計回りに、同じく第２アーム１３３ｈが反時計回りに付勢され、それらの付勢によって前カバー部材１３３が図５の起立姿勢を保つ。
一方、実施形態２のロック手段たるストッパ１３３ｆは、図８に示したようにアーム部材１３３ｄの第２アーム１３３ｈに突設されており、該第２アーム１３３ｈが前記ねじりコイルばねの付勢で作動室１３１ｃの後壁１３１ｆに押し付けられている図５，図６の状態でハンドル体１３２の爪状突部１３２ｂから離れている。
【００３４】
以上の構成である実施形態２の打球調節装置１３０は、前カバー部材１３３を実施形態１と同様に図５の起立姿勢から図６の仰向け姿勢に変更しても、その段階で第２アーム１３３ｈが動かないため、ストッパ１３３ｆがハンドル体１３２の爪状突部１３２ｂに噛合することはない。よって、前カバー部材１３３を仰向け姿勢にしてその上に手を置き、その姿勢でハンドル体１３２を長時間楽に操作することができる。
そして、狙ったポイントに遊技球が打ち込まれるようになったところでそのままハンドル体１３２を固定したい場合は、前カバー部材１３３に手を置いてその重みを加えたまま図７矢示のように若干手前に引く。そうすると、第１アーム１３３ｇと第２アーム１３３ｈが真っ直ぐな連結状態を保ったまま支持軸１３１ｅを中心に図７において時計回りに回動し、その変位で第２アーム１３３ｈのストッパ１３３ｆがハンドル体１３２の爪状突部１３２ｂに噛合する。これによりハンドル体１３２がロックされるから、遊技者は仰向け姿勢の前カバー部材１３３に手を置き、その手でハンドル体１３２に触れてさえいれば、そのまま狙ったポイントに遊技球を打ち続けることができる。
次に、遊技を終了する場合は、前カバー部材１３３とハンドル体１３２から手を離せばよい。そうすると、前記のように電動打球装置１２が停止し、前カバー部材１３３と第１アーム１３３ｇ及び第２アーム１３３ｈがねじりコイルばねの弾性で自動的に復動して図５の初期位置に復動する。
【００３５】
なお、実施形態２の電動打球装置１２の動力部材１６は、図示しないが電動モータと回転カムと牽引バネの周知の組み合わせである。したがって打力調節装置１３０の実施形態１の可変抵抗器１３４ｒに相当する調節部材１３４は、ハンドル体１３２の回転軸１３５の後端に固着したプーリー１３４ａと、そのプーリー１３４ａに巻回したワイヤー１３４ｂであり、そのワイヤー１３４ｂの先が前記牽引バネの端部に連結されている。
【００３６】
以上本発明を実施の形態１，２について説明したが、もちろん本発明は上記実施形態に限定されるものではない。例えば実施形態１，２は、パチンコ機１を例に説明したが、それ以外にも雀球機、アレンジボール機等、遊技球を使用して遊技を行う弾球遊技機全般に適用可能である。
また、実施形態１，２では、前カバー部材１３３を仰向け姿勢にするとハンドル体１３２の正面が遊技者側に露出するようになっているが、従来型操作ハンドルの前面の全部又は一部に実施形態１，２の前カバー部材１３３をキャップ状に重ね、そうしてその前カバー部材１３３を起立姿勢から仰向け姿勢に回動させるようにしてもよい。
また、実施形態１，２では、前カバー部材１３３の下部を基台部１３１に軸着するようにしたが、前枠３から軸受部材を突設してそこに前カバー部材１３３の下部を軸着するようにしてもよい。
また、実施形態１，２では、前カバー部材１３３が仰向き姿勢にあるときハンドル体１３２を固定し得るロック手段（ストッパ１３３ｆ）を該前カバー部材１３３に設けたが、例えば実施形態１のストッパ１３３ｆを設けないで、仰向け姿勢にした前カバー部材１３３を専ら手置き台として使用するようにしてもよい。
【符号の説明】
【００３７】
１  …パチンコ機（弾球遊技機）
２  …外枠（固定部材）
３  …前枠（前面部材）
１０  …遊技領域
１１ｓ  …発射位置
１２  …電動打球装置
１３０  …打力調節装置
１３２  …ハンドル体
１３３  …前カバー部材
１３３ｆ  …ストッパ（ロック手段）
１５  …打球部材
１６  …動力部材
【図１】
2014124190.tif 000003
【図２】
2014124190.tif 000004
【図３】
2014124190.tif 000005
【図４】
2014124190.tif 000006
【図５】
2014124190.tif 000007
【図６】
2014124190.tif 000008
【図７】
2014124190.tif 000009
【図８】
2014124190.tif 000010